(57)【特許請求の範囲】
【請求項１】
ランダムアクセスが可能な記憶媒体を用いた素材蓄積手段を備えたデータ記録再生装置において、
素材を前記素材蓄積手段に記録する動作の開始を指示する指示入力手段と、
前記素材蓄積手段に接続される複数のポートを備え、前記指示入力手段からの記録動作の開始指示に基づいて、前記素材蓄積手段に記録する素材の供給源を、前記複数のポートのうち、所定のポートに接続して、前記素材を伝送する信号切換手段と、
前記指示入力手段からの記録動作の開始指示に先立って、前記所定のポートを予め記録準備状態に設定し、前記記録動作の開始指示に基づいて、前記記録準備状態に設定された前記所定のポートを記録実行状態に設定し直すとともに、前記複数のポートのうち、前記所定のポート以外の他のポートを記録準備状態に設定する処理を指示する記録動作指示手段と、
前記記録動作指示手段からの指示に基づいて、記録実行状態に設定された前記所定のポートを介して、前記供給源から前記信号切換手段に供給される前記素材を、前記素材蓄積手段に記録する蓄積制御手段と、
前記指示入力手段及び前記記録動作指示手段からの指示に基づいて、前記信号切換手段による前記ポートの切換接続、及び、前記蓄積制御手段による前記素材の記録動作を制御する記録動作制御手段と、
を具備することを特徴とするデータ記録再生装置。
【請求項２】
前記素材の供給源は、少なくとも、所定の通信回線を介して前記素材を供給し、
前記信号切換手段は、該供給源と前記所定のポートとを接続して、前記素材を前記素材蓄積手段に伝送することを特徴とする請求項１記載のデータ記録再生装置。
【請求項３】
前記素材の供給源は、少なくとも、所定の素材供給手段から前記素材を供給し、
前記信号切換手段は、該供給源と前記所定のポートとを接続して、前記素材を前記素材蓄積手段に伝送することを特徴とする請求項１記載のデータ記録再生装置。
【請求項４】
前記指示入力手段は、少なくとも、前記素材の記録動作の開始を指示するスイッチ手段と、該スイッチ手段の操作に基づく、前記素材の記録動作の実行状態を報知する報知手段と、を備え、前記記録動作制御手段にパラレル信号線を介して接続されていることを特徴とする請求項１記載のデータ記録再生装置。
【請求項５】
前記指示入力手段は、少なくとも、前記素材の記録動作の開始を指示する第１のスイッチ手段と、前記素材の記録動作を中断し、前記素材の記録動作の開始を再度指示する第２のスイッチ手段と、前記第１及び第２のスイッチ手段の操作に基づいて、前記素材の記録動作の実行状態を個別に報知する報知手段と、を備え、前記記録動作制御手段にパラレル信号線を介して接続されていることを特徴とする請求項１記載のデータ記録再生装置。
【請求項６】
前記素材は、映像データ及び音声データを含む放送素材であることを特徴とする請求項１記載のデータ記録再生装置。
【請求項７】
ランダムアクセスが可能な記憶媒体を用いた素材蓄積手段を備えたデータ記録再生装置のデータ記録方法において、
前記素材蓄積手段に素材を記録する動作に先立って、前記素材蓄積手段に接続される複数のポートのうち、所定のポートを予め記録準備状態に設定する手順と、
前記素材蓄積手段に前記素材を記録する動作の開始指示に基づいて、前記所定のポートを記録実行状態に切り換え設定し、前記素材を供給する供給源を前記所定のポートに接続する手順と、
前記所定のポートを介して、前記供給源から供給される前記素材を前記素材蓄積手段に記録するとともに、該記録動作中に、前記複数のポートのうち、前記所定のポート以外の他のポートを記録準備状態に設定する手順と、
前記素材の記録動作が終了した後に、前記他のポートの記録準備状態を保持する手順と、
を含むことを特徴とするデータ記録再生装置のデータ記録方法。
【請求項８】
少なくとも、前記素材を前記素材蓄積手段に記録する手順において、該記録動作の実行状態を報知することを特徴とする請求項７記載のデータ記録再生装置のデータ記録方法。
【請求項９】
前記素材は、映像データ及び音声データを含む放送素材であることを特徴とする請求項７記載のデータ記録再生装置のデータ記録方法。
【請求項１０】
ランダムアクセスが可能な記憶媒体を用いた素材蓄積手段を備えたデータ記録再生装置のデータ記録方法において、
前記素材蓄積手段に接続される複数のポートのうち、所定のポートを介して、素材を前記素材蓄積手段に記録するとともに、該記録動作中に、前記複数のポートのうち、前記所定のポート以外の他のポートを記録準備状態に設定する手順と、
前記素材蓄積手段に前記素材を再記録する動作の開始指示に基づいて、前記記録動作を中断して、前記素材蓄積手段に記録された前記素材を削除する手順と、
前記他のポートを記録実行状態に切り換え設定し、前記素材を供給する供給源を前記他のポートに接続する手順と、
前記他のポートを介して、前記供給源から供給される前記素材を前記素材蓄積手段に再記録するとともに、該再記録動作中に、前記所定のポートを記録準備状態に設定する手順と、
前記素材の再記録動作が終了した後に、前記所定のポートの記録準備状態を保持する手順と、
を含むことを特徴とするデータ記録再生装置のデータ記録方法。
【請求項１１】
少なくとも、前記素材を前記素材蓄積手段に記録する手順、及び、前記素材を前記素材蓄積手段に再記録する手順において、該記録動作及び該再記録動作の実行状態を個別に報知することを特徴とする請求項１０記載のデータ記録再生装置のデータ記録方法。
【請求項１２】
前記素材は、映像データ及び音声データを含む放送素材であることを特徴とする請求項１０記載のデータ記録再生装置のデータ記録方法。
【請求項１３】
ランダムアクセスが可能な記憶媒体を用いた素材蓄積手段を備えたデータ記録再生装置上で実行可能なプログラムが格納された記憶媒体であって、
前記素材蓄積手段に素材を記録する動作に先立って、前記素材蓄積手段に接続される複数のポートのうち、所定のポートを予め記録準備状態に設定する処理と、
前記素材蓄積手段に前記素材を記録する動作の開始指示に基づいて、前記所定のポートを記録実行状態に切り換え設定し、前記素材を供給する供給源を前記所定のポートに接続する処理と、
前記所定のポートを介して、前記供給源から供給される前記素材を前記素材蓄積手段に記録するとともに、該記録動作中に、前記複数のポートのうち、前記所定のポート以外の他のポートを記録準備状態に設定する処理と、
前記素材の記録動作が終了した後に、前記他のポートの記録準備状態を保持する処理と、
を含むデータ記録再生装置のデータ記録方法を実行するプログラムを格納した記憶媒体。
【請求項１４】
ランダムアクセスが可能な記憶媒体を用いた素材蓄積手段を備えたデータ記録再生装置上で実行可能なプログラムが格納された記憶媒体であって、
前記素材蓄積手段に接続される複数のポートのうち、所定のポートを介して、素材を前記素材蓄積手段に記録するとともに、該記録動作中に、前記複数のポートのうち、前記所定のポート以外の他のポートを記録準備状態に設定する処理と、
前記素材蓄積手段に前記素材を再記録する動作の開始指示に基づいて、前記記録動作を中断して、前記素材蓄積手段に記録された前記素材を削除する処理と、
前記他のポートを記録実行状態に切り換え設定し、前記素材を供給する供給源を前記他のポートに接続する処理と、
前記他のポートを介して、前記供給源から供給される前記素材を前記素材蓄積手段に再記録するとともに、該再記録動作中に、前記所定のポートを記録準備状態に設定する処理と、
前記素材の再記録動作が終了した後に、前記所定のポートの記録準備状態を保持する処理と、
を含むデータ記録再生装置のデータ記録方法を実行するプログラムを格納した記憶媒体。
【発明の詳細な説明】
【０００１】
【発明の属する技術分野】
本発明は、データ記録再生装置及びそのデータ記録方法並びにデータ記録方法のプログラムを格納した記憶媒体に関し、特に、ランダムアクセスが可能なビデオサーバを備えた放送局用素材送出システムに適用可能なデータ記録再生装置及びそのデータ記録方法並びにデータ記録方法のプログラムを格納した記憶媒体に関する。
【０００２】
【従来の技術】
近年、ＣＡＴＶ（ケーブルテレビ）等による多チャンネル放送の普及や、放送業務自体の効率化等の観点から、従来のＶＴＲテープを用いたシーケンシャル（リニア）記録再生に替えて、ハードディスク（ＨＤ）や光磁気ディスク等のランダムアクセス（あるいは、ノンリニアアクセス）が可能な記憶媒体を用いて、映像・音声データを記録、再生、編集することができるビデオサーバ、あるいは、ＡＶ(Audio and/or Video)サーバと呼ばれる装置が普及しつつある。
【０００３】
一般に、放送局に設置されるビデオサーバは、画質や音質に対する要求が極めて高いため、必要とされるデータの転送レートが高く、かつ、長時間のデータを記録するために大容量であることが要求される。そこで、映像・音声データを時分割的に記録再生動作する複数のハードディスク装置を備えたデータ記録再生装置を用いることにより、データの転送レートの高速化及び大容量化を図る試みや、さらに、パリティデータを記録しておくことにより、万一いずれかのハードディスク装置が故障しても信頼性を確保できるように構成されている。
【０００４】
これにより、放送事業者が制作としようとしている番組の内容や放送形態等に応じて、分散的に記録された複数の音声・映像データからなる放送素材を効率的に編集したり、また、同一の放送素材の同時多チャンネル送出を行ったり、再生時間をずらして多チャンネルで再生することにより、ＶＯＤ（ビデオオンデマンド）やＮＶＯＤ（ニアビデオオンデマンド）などのシステムを構築するなど、多様な使用形態に対応することができるマルチチャンネルビデオサーバが実現されている。
【０００５】
なお、このようなビデオサーバに用いられるランダムアクセス可能な記憶媒体としては、１９８８年  Pattersonらによって発表された技術論文（“A Case for Redundant Arrays of Inexpensive Disks（RAID）”,ACM SIGMOND Conference, Chicago, III,Jun.1-3,1988.）に提唱されているように、複数のハードディスクからなるハードディスクドライブ（ＨＤＤ）を、さらに複数台配置して構成したＲＡＩＤ（Redundant Arrays of Inexpensive Disks）技術が用いられている。
【０００６】
このように、ＲＡＩＤ等のランダムアクセス可能な記憶媒体を用いたビデオサーバを、ニュースシステムやＣＭ（コマーシャル）バンクシステム、番組送出システム等の、放送局用素材送出システムに適用することにより、ＶＴＲ（Video Tape Recorder）とテープ媒体を備えた従前の構成に比較して、次のような特徴を有している。
【０００７】
すなわち、収録準備や再生、送出処理等において、例えば、テープ媒体のＶＴＲへの装填や頭出しのための早送り等の処理を行う必要がないので、ランダムアクセスが可能という記憶媒体の特徴を十分に活用することができる。
また、記憶媒体に複数の放送素材を同時に収録したり、収録された放送素材を複数の端末等から同時に利用するマルチアクセスが可能となり、放送素材の収録、編集、閲覧、送出処理等の放送業務全般において、高速かつ多様な放送業務を実現することができる。
【０００８】
ここで、上記ビデオサーバを適用した放送局用素材送出システムの要部概略構成について、図面を参照して説明する。
図１２に示すように、放送局用素材送出システムの要部構成は、上位端末装置５０１と、システムコントローラ５０２と、デバイスコントローラ５０３と、複数の素材供給部５０４と、入出力信号切換装置（ルータ）５０５と、複数の送出部５０６と、下位のサーバ・ハードウェア５１０を構成するビデオサーバ制御装置５１１及びビデオサーバ記憶媒体５１２と、を有している。
【０００９】
上位端末装置５０１は、オペレータが所定の操作を行うことにより、例えば、ビデオサーバ記憶媒体５１２への放送素材の収録や、収録された放送素材の編集、閲覧、送出等の各種処理を、付設のモニタを介して表示するとともに、当該処理を実行するための要求を下位のサーバ・ハードウェア５１０に対して出力する。
システムコントローラ５０２は、上位端末装置５０１と下位のサーバ・ハードウェア５１０との間に位置し、上位端末装置５０１から下位のサーバ・ハードウェア５１０に対して、上記各種処理を行うための要求を出力したか否かを記憶するデータベースを備え、上位端末装置５０１からの処理要求を調停して、デバイスコントローラ５０３に対して当該処理の実行に必要な動作設定や指示を行う。
【００１０】
デバイスコントローラ５０３は、システムコントローラ５０２からの動作設定や指示に基づいて、入出力信号切換装置５０５、及び、下位のサーバ・ハードウェア５１０であるビデオサーバ制御装置５１１の動作を制御して、上記各種処理の実行を指示する。
ビデオサーバ制御装置５１１及びビデオサーバ記憶媒体５１２は、上述したＲＡＩＤ等の技術を用いて構築されたランダムアクセス、及び、マルチアクセスが可能な大容量ハードディスクシステムであって、デバイスコントローラによる入出力信号切換装置５０５、及び、ビデオサーバ制御装置５１１の動作制御により、素材供給部５０４から入力される大量の放送素材が収録、蓄積されるとともに、送出部５０６を介して所定の放送素材が出力される。
【００１１】
このような構成を有する放送局用素材送出システムにおいて、例えば、所望の放送素材を収録する場合には、オペレータが上位端末装置５０１を操作して収録処理要求を出力し、当該収録処理要求がシステムコントローラ５０２及びデバイスコントローラ５０３を介して、入出力信号切換装置５０５及びビデオサーバ制御装置５１１に対して実行制御可能な命令（コマンド形態）として伝達される。そして、入出力信号切換装置５０５により所定の素材供給部５０４が選択接続されて、ビデオサーバ制御装置５１１を介して、ビデオサーバ記憶媒体５１２の所定の記憶エリアに記憶される。
【００１２】
具体的には、図１３のタイミングチャートに示すように、まず、図１２に示した上位端末装置５０１、あるいは、デバイスコントローラ５０３に接続された収録処理専用の収録制御パネル（図示を省略）に設けられた収録開始ボタン（以下、「Ｒｅｃ」ボタンと略記する）を押下（ＯＮ操作）すると、収録動作の開始を通知する「Ｒｅｃ. Ｏｐｅｎ」命令が、上位端末装置５０１からシステムコントローラ５０２を介して、あるいは、収録制御パネルから直接、デバイスコントローラ５０３、及び、下位のサーバ・ハードウェア５１０へ伝達される。
【００１３】
そして、下位のサーバ・ハードウェア５５１０への「Ｒｅｃ. Ｏｐｅｎ」命令の伝達完了がシステムコントローラ５０２に報告されると、次いで、放送素材を収録するための準備を指示する「Ｒｅｃ. Ｓｔａｎｄｂｙ」命令が、システムコントローラ５０２から下位のサーバ・ハードウェア５１０へ伝達される。「Ｒｅｃ. Ｓｔａｎｄｂｙ」命令が伝達されると、ビデオサーバ記憶媒体５１２における空きスペースの検索等の処理が実行され、該検索結果に基づいて、システムコントローラ５０２は、放送素材を記憶する記憶エリアを決定する処理等を行う。
【００１４】
そして、「Ｒｅｃ. Ｓｔａｎｄｂｙ」命令による収録準備処理が終了すると、次いで、収録処理の対象となっている素材供給部５０４と下位のサーバ・ハードウェア５１０との接続を指示する「Ｃｏｍｂｉｎｅ」命令が、システムコントローラ５０２から入出力信号切換装置５０５及び下位のサーバ・ハードウェア５１０へ伝達される。「Ｃｏｍｂｉｎｅ」命令が伝達されると、入出力信号切換装置５０５により、収録処理の対象となっている素材供給部５０４への接続切換処理が実行されるとともに、ビデオサーバ制御装置５１１により、ビデオサーバ記憶媒体５１２の所定の記憶エリアを指定して記憶可能状態に制御する。
【００１５】
そして、「Ｃｏｍｂｉｎｅ」命令による素材供給部５０４と下位のサーバ・ハードウェア５１０との接続処理の終了がシステムコントローラ５０２に報告されると、収録動作を実際に開始することを指示する「Ｒｅｃ. Ｓｔａｒｔ」命令が、システムコントローラ５０２から下位のサーバ・ハードウェア５１０へ伝達される。下位のサーバ・ハードウェア５１０への「Ｒｅｃ. Ｓｔａｒｔ」命令の伝達完了がシステムコントローラ５０２に報告されると、実際に素材供給部５０４から放送素材を取り込んで、所定の記憶エリアに収録する「Ｒｅｃ」動作が実行される。
【００１６】
【発明が解決しようとする課題】
しかしながら、上述した放送局用素材送出システムにおいては、次に示すような問題を有している。
すなわち、上位端末装置、あるいは、デバイスコントローラに接続された収録制御パネルに設けられた「Ｒｅｃ」ボタンを押下してから、収録動作が実際に実行される「Ｒｅｃ」動作（以下、便宜的に「収録実動作」という）までの所要時間は、上記各命令の実行処理に要する時間を加算した合計時間となり、「Ｒｅｃ」ボタンの押下から収録実動作までの間に、極めて長いタイムラグが生じていた。特に、上記タイムラグの要因となる各命令の実行処理のうち、「Ｒｅｃ. Ｓｔａｎｄｂｙ」命令に関する実行処理は、単なる命令の伝達や通知ではなく、ビデオサーバ記憶媒体における空きスペースの検索処理や、検索結果に基づく記憶エリアの決定処理等の動作が伴うため、他の命令の実行処理に比較して、長い時間（例えば、５〜６秒程度）を必要としている。
【００１７】
したがって、
（イ）「Ｒｅｃ」ボタンを押下してから、収録実動作の開始までの時間が長いため、番組やＣＭの進行や、放送素材の供給と同時に「Ｒｅｃ」ボタンを押下した場合、番組や放送素材の先頭部分が、上記タイムラグと重なって、収録できないという問題を有していた。
（ロ）上記（イ）の問題を回避するために、番組やＣＭの進行や、放送素材の供給に先立って収録実動作を開始するように操作した場合、番組や放送素材の本来の収録時間よりも余分に時間を必要とすることになり、データベース記憶媒体（ＲＡＩＤ）の資源を有効に利用することができないという問題を有していた。
【００１８】
（ハ）また、「Ｒｅｃ」ボタンを押下してから、収録実動作の開始までの時間が長いため、オペレータが操作上のストレスを感じ、誤操作等の原因となるという問題を有していた。
（ニ）番組やＣＭ、放送素材の撮り直しが発生した場合、すなわち、例えば、図１３に示したタイミングチャートにおける収録実動作の途中で再収録動作の要求が発生した場合においては、次のような実行処理が行われる。
【００１９】
図１４のタイミングチャートに示すように、まず、上位端末装置、あるいは、デバイスコントローラに接続された収録制御パネルに設けられた再収録開始ボタン（以下、「Ｒｅ−Ｓｔａｒｔ Ｒｅｃ」ボタンと記す）を押下（ＯＮ操作）することにより、現在実行されている収録動作の終了（又は、中断）を通知する「Ｒｅｃ. Ｃｌｏｓｅ」命令が、上位端末装置からシステムコントローラを介して、あるいは、収録制御パネルから直接、デバイスコントローラ、及び、下位のサーバ・ハードウェアへ伝達される。
【００２０】
そして、下位のサーバ・ハードウェアへの「Ｒｅｃ. Ｃｌｏｓｅ」命令の伝達完了がシステムコントローラに報告されると、次いで、システムコントローラに備えられたデータバースから、先の収録実動作における放送素材の記憶エリアを抽出し、該記憶エリアに収録された放送素材の削除を指示する「Ｄｅｌｅｔｅ」命令が、システムコントローラから下位のサーバ・ハードウェアへ伝達される。「Ｄｅｌｅｔｅ」命令が伝達されると、ビデオサーバ制御装置により、ビデオサーバ記憶媒体の所定の記憶エリアを指定して、収録されている放送素材の削除処理を実行する。
【００２１】
そして、「Ｄｅｌｅｔｅ」命令による所定の放送素材の削除処理の終了がシステムコントローラに報告されると、収録動作の開始を通知する「Ｒｅｃ. Ｏｐｅｎ」命令が、システムコントローラから下位のサーバ・ハードウェアへ伝達される。以下、上述した通常の収録処理と同様に、「Ｒｅｃ. Ｓｔａｎｄｂｙ」命令、「Ｃｏｍｂｉｎｅ」命令、「Ｒｅｃ. Ｓｔａｒｔ」命令の各実行処理が行われた後、再収録実動作（「Ｒｅｃ」動作に相当）が実行される。
【００２２】
このように、Ｒｅ−Ｓｔａｒｔ 「Ｒｅｃ」ボタンを押下してから、再収録実動作の開始までの時間が極めて長くなるため、番組や放送素材の収録、あるいは、番組の進行や収録全体のスケジュール等に大きな影響を及ぼすという問題を有していた。
なお、上述したような各問題点は、種々の放送局用素材送出システムのうち、特に、現地中継や報道情報の即時性の観点から、収録時間の短縮が強く求められるニュースシステムにおいて、顕著な影響を及ぼす。
【００２３】
そこで、本発明は、上述したような問題点に鑑み、ランダムアクセス可能な記憶媒体を備えた放送局用素材送出システムに適用することができ、放送素材の収録開始の指示から、実際に収録動作が実行されるまでの時間を短縮して、番組や放送素材の収録を迅速かつ円滑に行うことができるデータ記録再生装置及びそのデータ記録方法並びにデータ記録方法のプログラムを格納した記憶媒体を提供することを目的とする。
【００２４】
【課題を解決するための手段】
本発明に係るデータ記録再生装置は、ランダムアクセスが可能な記憶媒体を用いた素材蓄積手段を備えたデータ記録再生装置において、記録動作の開始指示に基づいて、素材蓄積手段に記録される素材の供給源を、素材蓄積手段に接続される所定のポートに接続する信号切換手段と、記録動作の開始指示に先立って、所定のポートを予め記録準備状態に設定し、記録動作の開始指示に基づいて、所定のポートを記録実行状態に設定し直すとともに、所定のポート以外の他のポートを記録準備状態に設定する記録動作指示手段と、記録実行状態に設定された所定のポートを介して、素材を素材蓄積手段に記録する蓄積制御手段と、を有していることを特徴としている。
【００２５】
そのため、本発明に係るデータ記録再生装置においては、記録動作の開始指示に先立って、所定のポートが予め記録準備状態に設定され、記録動作の開始指示に基づいて、所定のポートを記録実行状態に設定し直すことにより、素材の記録動作が即座に開始される。
【００２６】
本発明に係るデータ記録再生装置のデータ記録方法は、ランダムアクセスが可能な記憶媒体を用いた素材蓄積手段を備えたデータ記録再生装置のデータ記録方法において、素材を記録する動作に先立って、素材蓄積手段に接続される所定のポートを予め記録準備状態に設定する手順と、記録動作の開始指示に基づいて、所定のポートを記録実行状態に切り換え設定し、供給源を所定のポートに接続する手順と、所定のポートを介して、素材を素材蓄積手段に記録するとともに、該記録動作中に、他のポートを記録準備状態に設定する手順と、を含むことを特徴としている。
【００２７】
そのため、本発明に係るデータ記録再生装置のデータ記録方法においては、素材蓄積手段に接続される複数のポートを並列的（パラレル）に使用して、所定のポートの記録動作中に、他のポートを記録準備状態に設定する処理が、バックグラウンドで実行され、記録動作の開始指示に基づいて、他のポートを記録実行状態に設定し直すことにより、素材の記録動作が即座に開始される。
【００２８】
また、本発明に係るデータ記録再生装置のデータ記録方法は、ランダムアクセスが可能な記憶媒体を用いた素材蓄積手段を備えたデータ記録再生装置のデータ記録方法において、素材蓄積手段に接続される所定のポートを介して、素材を素材蓄積手段に記録するとともに、該記録動作中に、他のポートを記録準備状態に設定する手順と、素材を再記録する動作の開始指示に基づいて、記録動作を中断して、素材蓄積手段に記録された素材を削除する手順と、他のポートを記録実行状態に切り換え設定し、供給源を他のポートに接続する手順と、他のポートを介して、素材を素材蓄積手段に再記録するとともに、該再記録動作中に、所定のポートを記録準備状態に設定する手順と、を含むことを特徴としている。
【００２９】
そのため、本発明に係るデータ記録再生装置のデータ記録方法においては、素材蓄積手段に接続される複数のポートを並列的（パラレル）に使用して、所定のポートの記録動作中に、他のポートを記録準備状態に設定する処理が、バックグラウンドで実行され、再記録動作の開始指示に基づいて、素材の供給源との接続を、所定のポートから他のポートに切換接続することにより、素材の再記録動作が即座に開始される。
【００３０】
本発明に係るデータ記録方法のプログラムを格納した記憶媒体は、ランダムアクセスが可能な記憶媒体を用いた素材蓄積手段を備えたデータ記録再生装置のデータ記録方法であって、素材を記録する動作に先立って、素材蓄積手段に接続される所定のポートを予め記録準備状態に設定する手順と、記録動作の開始指示に基づいて、所定のポートを記録実行状態に切り換え設定し、供給源を所定のポートに接続する手順と、所定のポートを介して、素材を素材蓄積手段に記録するとともに、該記録動作中に、他のポートを記録準備状態に設定する手順と、を含む一連のデータ記録処理を実行するプログラムを記憶媒体に格納したことを特徴としている。
【００３１】
そのため、本発明に係るデータ記録方法のプログラムを格納した記憶媒体は、素材蓄積手段に接続される複数のポートを並列的（パラレル）に使用して、所定のポートの記録動作中に、他のポートを記録準備状態に設定する処理が、バックグラウンドで実行され、記録動作の開始指示に基づいて、他のポートを記録実行状態に設定し直し、即座に素材の記録動作を開始する一連の処理手順が、既存あるいは新規に導入されるデータ記録再生装置に簡易に組み込み適用される。
【００３２】
また、本発明に係るデータ記録方法のプログラムを格納した記憶媒体は、ランダムアクセスが可能な記憶媒体を用いた素材蓄積手段を備えたデータ記録再生装置のデータ記録方法であって、素材蓄積手段に接続される所定のポートを介して、素材を素材蓄積手段に記録するとともに、該記録動作中に、他のポートを記録準備状態に設定する手順と、素材を再記録する動作の開始指示に基づいて、記録動作を中断して、素材蓄積手段に記録された素材を削除する手順と、他のポートを記録実行状態に切り換え設定し、供給源を他のポートに接続する手順と、他のポートを介して、素材を素材蓄積手段に再記録するとともに、該再記録動作中に、所定のポートを記録準備状態に設定する手順と、を含む一連のデータ記録処理を実行するプログラムを記憶媒体に格納したことを特徴としている。
【００３３】
そのため、本発明に係るデータ記録方法のプログラムを格納した記憶媒体は、素材蓄積手段に接続される複数のポートを並列的（パラレル）に使用して、所定のポートの記録動作中に、他のポートを記録待機動作に設定する処理が、バックグラウンドで実行され、再記録動作の開始指示に基づいて、素材の供給源との接続を、所定のポートから他のポートに切り換え、即座に素材の再記録動作を開始する一連の処理手順が、既存あるいは新規に導入されるデータ記録再生装置に簡易に組み込み適用される。
【００３４】
【発明の実施の形態】
以下、本発明に係るデータ記録再生装置の実施形態について、図面を参照して説明する。
図１は、本発明に係るデータ記録再生装置をニュースシステムに適用した場合の一実施形態を示す概略構成図であり、図２は、本実施形態に係るニュースシステムに適用されるビデオサーバ記憶媒体及びビデオサーバ制御装置の要部構成を示す概略図である。
【００３５】
ニュースシステムは、ニュース番組放送等における映像や音声等の放送素材を収録、同時編集、送出処理等を行うことができるランダムアクセス可能な記憶媒体を備えたデータ記憶再生装置を有し、図１に示すように、ネットワーク３００に、操作・監視端末（Terminal）群１００、及び、サーバ・ハードウェア群２００が接続された構成を有している。
操作・監視端末群１００は、ファイリング端末やプレビュー端末、送出監視端末等の操作端末１０１と、データベースサーバ１０２と、サーバマネージャ（記録動作指示手段）１０３と、システムコントローラ（記録動作制御手段：Server Management System；以下、ＳＭＳと略記する）１０４と、編集端末１０５と、を有して構成されている。
【００３６】
一方、サーバ・ハードウェア群２００は、デバイスコントローラ（Intelligent Device Controller；以下、ＩＤＣと略記する）２０１と、上述したＲＡＩＤにより構成されるビデオサーバ記憶媒体（素材蓄積手段）２０２と、ビデオサーバ制御装置（蓄積制御手段）２０３と、信号切換装置（信号切換手段）２０４ａ、２０４ｂと、素材編集機（ノンリニア編集機）２０５と、収録制御パネル（指示入力手段）２０６と、素材供給部を構成するLine２０７ａ及びＶＴＲ２０７ｂと、を有して構成されている。
【００３７】
以下、各構成の機能について説明する。
まず、操作・監視端末群１００について説明する。
操作端末１０１及び編集端末１０５は、操作するオペレータとの良好なマン・マシン・インターフェースを図るために、ＧＵＩ（グラフィカル・ユーザ・インターフェース）環境に対応するとともに、ネットワーク３００にも対応した汎用ＯＳ（オペレーティングシステム；例えば、Windows９５／９８／ＮＴ等：いずれもMicrosoft社の登録商標）を搭載したコンピュータ（ネットワークカードやハードディスクドライブを実装したコンピュータ本体、ディスプレイ装置及びキーボードやマウス等の入力装置を含む）を備えている。
【００３８】
そして、操作端末１０１は、放送素材のファイリング作業やプレビュー作業、送出制御作業等、使用目的に応じた単独のアプリケーションプログラム、あるいは、これらの機能を統合した統合プログラムがＯＳ上で動作するようになっている。
このような構成により、操作端末１０１は、放送素材の収録や、収録された放送素材に関する情報（素材データ）の表示、収録データや番組構成表の作成、表示、印刷、編集等を行う機能、また、収録後のプレビューを行う機能を有し、さらには、放送素材の送出スケジュールリストの作成やそのリストに基づく送出制御、送出時におけるステータスの表示を行う機能をも有している。
なお、図１においては、単一の操作端末１０１のみを示したが、ネットワーク３００を介して複数の操作端末１０１が接続される構成であってもよい。
【００３９】
データベースサーバ１０２は、ネットワーク３００に対応したデータベースエンジン（例えば、ＳＱＬデータベースエンジン）を搭載するとともに、操作端末１０１から自由にレコードデータの参照や更新、追加を行うことが可能なデータベーステーブルを備えている。そして、上記データベースエンジンにより、ニュースシステムで共通に使用する素材データやプレイリスト、送出結果リスト等を保存、管理し、要求に応じて、それらのデータを他の端末装置に提供する。また、端末装置における処理結果に基づいて、素材データ、プレイリスト及び送出結果リスト等を更新登録する。
【００４０】
サーバマネージャ１０３は、各端末装置からの機能要求を取りまとめて、データベースサーバ１０２やＳＭＳ１０４に対して、レコードデータの参照や、放送素材の収録、送出等の各種処理の実行を要求する制御を行う。
ここで、サーバマネージャ１０３は、本発明の特徴である放送素材の収録開始動作に先立って、信号切換装置２０４ａ、２０４ｂに備えられた複数のポートのうち、次回の収録動作時に使用されるポートに、所定の素材供給部を接続して収録準備状態に設定する指示をＳＭＳ１０４に出力する。そして、操作端末１０１、又は、収録制御パネル２０６に設けられた「Ｒｅｃ」ボタン（スイッチ手段、第１のスイッチ手段）を押下することにより、放送素材の収録開始が要求されると、収録準備状態にあるポートを収録実行状態に設定し直す指示をＳＭＳ１０４に出力する。
【００４１】
ＳＭＳ１０４は、上位サーバや各端末装置からの要求の調停を行うものである。具体的には、上位サーバであるサーバマネージャ１０３や、操作端末１０１が、下位デバイスである信号切換装置１０４ａ、１０４ｂ、ビデオサーバ記憶媒体１０２及びビデオサーバ制御装置１０３に対して、例えば、放送素材の収録、送出、編集、表示等の所定の処理に伴って、放送素材を使用するために必要な指示（オープン命令）等を行ったか否かを記憶するデータベースを備え、サーバマネージャ１０３や操作端末１０１からの各種要求を調停して下位デバイスに対して具体的な指示を行う。
編集端末１０５は、編集処理用のアプリケーションが稼動し、素材編集機２０５を介して、ビデオサーバ記憶媒体２０２に収録された放送素材の読込み、編集、ビデオサーバ記憶媒体２０２への再収録等の処理を実行する。なお、図１においては、単一の編集端末１０５のみを示したが、ネットワーク３００を介して複数の編集端末１０５が接続される構成であってもよい。
【００４２】
次に、サーバ・ハードウェア群２００について説明する。
ＩＤＣ１０１は、サーバマネージャ１０３からのコマンド命令に基づいて、ＳＭＳ１０４から出力される収録、再生処理等に関する動作設定や指示に対して、リアルタイムで信号切換装置２０４ａ、２０４ｂ及びビデオサーバ制御装置２０３を制御して、放送素材のビデオサーバ記憶媒体２０２への収録、再生処理等の実行を指示する。
ビデオサーバ記憶媒体２０２及びビデオサーバ制御装置２０３は、上述したＲＡＩＤ等の技術を駆使して構築された、ランダムアクセス可能な大容量のハードディスクシステムであって、大量の放送素材を収録、蓄積するほか、放送素材を所定のリストにしたがって管理、送出する機能を有している。
【００４３】
ビデオサーバ記憶媒体２０２及びビデオサーバ制御装置２０３は、具体的には、図２に示すように、ビデオサーバ記憶媒体２０２を構成する複数のＨＤＤを備えたＲＡＩＤ２０２Ａと、ビデオサーバ制御装置２０３を構成する複数の入出力処理部２０３Ａ、２０３Ｂ、２０３Ｃ、及び、記録／再生コントローラ２０３Ｄを有している。
各入出力処理部２０３Ａ、２０３Ｂ、２０３Ｃは、信号切換装置２０４ａ、２０４ｂを構成するルータ２０４から出力された放送素材を、記録／再生コントローラ２０３Ｄからの制御信号に基づいて、ＲＡＩＤ２０２Ａに記憶可能なデータ形式（フォーマット）に変換、圧縮する処理を行う。なお、図２に示した入出力処理部２０３Ａ、２０３Ｂ、２０３Ｃの設置数（３）は、一例であって、これに限定されるものではない。
【００４４】
ＲＡＩＤ２０２Ａは、各入出力処理部２０３Ａ、２０３Ｂ、２０３Ｃによりフォーマット変換された放送素材のデータが、各ＨＤＤの所定の記憶エリアに書き込まれる。ここで、複数のＨＤＤによりＲＡＩＤを構成しているのは、記録されるデータの信頼性を高めるため、さらには、各入出力処理部に入力されるデータの転送レートで各ＨＤＤに記録するためである。例えば、ＲＡＩＤは、記録データのパリティデータを演算して専用ＨＤＤに記録する構成を有するＲＡＩＤ―３や、２台のＨＤＤをペアにして各々に同じデータを書き込む構成を有するＲＡＩＤ―１を備えている。
【００４５】
記録／再生コントローラ２０３Ｄは、タイムスロット発生回路（図示を省略）を備え、複数の入出力処理部２０３Ａ、２０３Ｂ、２０３Ｃのそれぞれに対してタイムスロット信号（制御信号）を発行することにより、各入出力処理部２０３Ａ、２０３Ｂ、２０３Ｃは、割り当てられたタイムスロット信号が示すタイムスロット時間内で、入力されたデータをＲＡＩＤ２０２Ａに転送する動作が許可される。各入出力処理部２０３Ａ、２０３Ｂ、２０３Ｃに割り当てられるタイムスロット時間は、極めて短い時間間隔に設定されているので、長い時間（例えば、１秒）でみると、複数の入出力処理部２０３Ａ、２０３Ｂ、２０３Ｃは、あたかも同時にデータの入出力を実行しているように認識される。したがって、図２に示した構成においては、３チャンネルでデータを同時入出力する機能を有している。
【００４６】
信号切換装置２０４ａ、２０４ｂは、ビデオサーバ記憶媒体２０２及びビデオサーバ制御装置２０３への、入力及び出力信号を切り替えるスイッチャーとしての機能を有している。具体的には、実際に放送素材の収録や送出処理等を実行する場合にのみ、素材供給部からの入力信号、及び、送出部への出力信号を、ビデオサーバ制御装置２０３の各入出力処理部２０３Ａ、２０３Ｂ、２０３Ｃに割り当てて入出力接続するように、信号の入出力要求に応じて、複数のポートを適宜切り換え設定する処理を行うことにより、ビデオサーバ制御装置２０３に備えられたポート数（入出力処理部の設置数）以上の入出力信号が同時並列的に入出力される。
【００４７】
素材編集機２０５は、Line２０７ａやＶＴＲ２０７ｂ等の素材供給部からビデオサーバ記憶媒体２０２に収録された放送素材を編集するノンリニア編集機であって、編集端末１０５からの指示にしたがって、ニュース番組の内容や時間等に応じた放送素材の読み込み、編集、コピー等の各種処理を実行する。編集処理を終了した放送素材は、ビデオサーバ記憶媒体１０２に再記録される。なお、図１においては、単一の素材編集機２０５のみを示したが、複数の編集端末２０５を接続して、複数の編集端末１０５により、同時並列的に編集処理を実行する構成としてもよい。また、素材編集機２０５に、直接ＶＴＲ等の素材供給部を接続して、予め編集処理を施した放送素材を、ビデオサーバ記憶媒体１０２に収録する使用形態を採用することもできる。
【００４８】
収録制御パネル２０６は、パラレル信号ケーブルを介して、上記ＩＤＣ２０１に接続され、少なくとも収録を開始するための「Ｒｅｃ」ボタンと、収録動作の実効状態を報知する表示ランプ（報知手段）とを備えている。そして、「Ｒｅｃ」ボタンを押下することによって、収録開始の指示がＩＤＣ２０１及びＳＭＳ１０４を介してサーバマネージャ１０３に通知される。これによって、サーバマネージャ１０３から下位のデバイスに対して、収録開始命令が出力され、即座に収録処理が開始される。なお、収録開始の指示は、収録制御パネル２０６における「Ｒｅｃ」ボタンの押下によって発行されるほか、上述した操作端末１０１に備えられたキーボード等における入力操作によっても発行される。
【００４９】
Line２０７ａは、所定の通信回線を介して供給される映像信号や、カメラ等の撮影機材から供給される映像信号を伝送するための信号線路であり、ＶＴＲ２０７ｂは、ビデオテープに録画された放送素材を供給するためのハードウェアである。いずれも、素材供給部を構成し、図１においては、各々単一のLine２０７ａ及びＶＴＲ２０７ｂのみを示したが、一般には、ビデオサーバ制御装置２０３が備えるポート（入出力処理部）数よりも多くの素材供給部が接続されている。
なお、ＶＴＲ２０７ｂは、ビデオサーバ記憶媒体２０２に収録された放送素材を、バックアップや一本化処理等の目的で、ビデオテープにコピーするためにも用いられるため、送出部側のハードウェアとしても用いられる。
【００５０】
次に、上述したニュースシステムにおけるポートの割り当て処理について、図面を参照して説明する。
図３は、本実施形態に係るポートの動的割り当て処理を説明する要部概念図であり、図４は、本実施形態に係るポートの動的割り当て処理の手順を示すフローチャートであり、図５は、本実施形態に係るポートの動的割り当て処理を示すタイミングチャートである。ここでは、説明を簡略化するために、ビデオサーバ制御装置２０３及び信号切換装置２０４ａに備えられた物理的な２つのポートを割り当て処理し、素材供給部として、Line２０７ａを介して供給される放送素材を収録する場合について説明する。なお、図３において、図１、図２と同等の構成については、同一の符号を付して説明する。
【００５１】
図３に示したニュースシステムの構成において、ポートの割り当て処理は、ビデオサーバ制御装置２０３に設けられた各々の入出力処理部２０３Ａ、２０３Ｂが接続される信号切換装置２０４ａの２つの物理的なポートPort１、Port２を、順次、収録準備状態にある論理的な「Idle Port」と、収録実行状態にある論理的な「Rec port」に動的に割り当てることにより実行される。詳しくは後述する。
ここで、各ポートPort１、Port２の割り当てのタイミングは、Line２０７ａを介して供給される放送素材を、ビデオサーバ記憶媒体２０２に収録する処理の開始を指示する操作、例えば、収録制御パネル１０６の「Ｒｅｃ」ボタンの押下をトリガとして、論理的なIdle Portに割り当てられた各ポートPort１、Port２が、Rec portに割り当て直される。
【００５２】
以下、図３、図４、図５を参照して具体的に説明する。
（ＳＴ１１／ＳＴ１２）
まず、放送素材の収録処理に先立って、ビデオサーバ制御装置２０３に接続された信号切換装置２０４ａのポートをIdle Portに割り当てる。
具体的には、サーバマネージャ１０３は、例えば、放送素材の収録処理に際して、収録処理プログラムを起動することにより、オペレータが放送素材の収録処理の開始を指示する前に、ＳＭＳ１０４に対して、ビデオサーバ制御装置２０３に接続された信号切換装置２０４ａの２つのポートPort１、Port２のうち、いずれか一方のポート、例えば、ポートPort１を論理的なIdle Portに割り当てる処理を実行する。
【００５３】
次いで、Idle Portを収録準備状態に設定するために、サーバマネージャ１０３は、ＳＭＳ１０４に対して、収録動作の開始を通知する「Ｒｅｃ. Ｏｐｅｎ」命令を出力し、当該命令は、ＩＤＣ２０１を介して、下位デバイスである信号切換装置２０４ａ、ビデオサーバ記憶媒体２０２及びビデオサーバ制御装置２０３に伝達される。
【００５４】
そして、下位デバイスへの「Ｒｅｃ. Ｏｐｅｎ」命令の伝達完了がＳＭＳ１０４に報告されると、次いで、放送素材を収録するための準備を指示する「Ｒｅｃ. Ｓｔａｎｄｂｙ」命令が、ＳＭＳ１０４から下位デバイスへ伝達される。「Ｒｅｃ. Ｓｔａｎｄｂｙ」命令が伝達されると、ビデオサーバ記憶媒体２０２における空きスペースの検索処理や放送素材の記憶エリアの決定処理等、収録準備動作が実行される。このとき、ビデオサーバ制御装置２０３は、信号切換装置２０４ａを介して入力される放送素材が、Idle Portに割り当てられているポートPort１を介してビデオサーバ記憶媒体２０２に収録されるように、入出力処理部の設定を制御して、ポートPort１を収録準備状態に設定する。
「Ｒｅｃ. Ｓｔａｎｄｂｙ」命令による上記収録準備動作が終了すると、ＳＭＳ１０４は、サーバマネージャ１０３に対して、収録準備完了を報告する。
これにより、Idle Portに割り当てられているポートPort１は、後述する「Ｒｅｃ」ボタンが押下されるまで、収録準備状態が維持される。
【００５５】
（ＳＴ１３）
次いで、オペレータが、操作端末１０１、あるいは、ＩＤＣ２０１に収録制御パネル２０６に設けられた「Ｒｅｃ」ボタンを押下（ＯＮ操作）すると、ＳＭＳ１０４は、当該通知を受けて、サーバマネージャ１０３に対して、ポートPort１が収録準備状態にあることを示すステータス情報を通知する。
（ＳＴ１４）
次いで、サーバマネージャ１０３は、ＳＭＳ１０４からのステータス情報に基づいて、ＳＭＳ１０４に対して、ポートPort１を論理的なIdle PortからRec portに割り当て直し、さらに、Line２０７ａを介して供給される放送素材が、ポートPort１を介してビデオサーバ記憶媒体２０２に収録されるように、Line２０７ａとRec portに設定されたポートPort１を物理的に接続する指示を伝達する。
【００５６】
すなわち、ＳＭＳ１０４は、ＩＤＣ２０１を介して、下位デバイスに対して、素材供給部(Line２０７ａ)とビデオサーバ制御装置２０３の入出力処理部２０３Ａとの接続を指示する「Ｃｏｍｂｉｎｅ」命令を伝達する。
ここで、ＳＭＳ１０４は、サーバマネージャ１０３に対して、ポートPort１が収録準備状態にあることを示すステータス情報とともに、他方のポートPort２の論理状態を示すステータス情報を通知し、上記ポートPort１の論理的なIdle PortからRec portへの割り当て直しに際し、同時に、Port２を論理的なIdle Portに割り当てる処理を実行する。
【００５７】
（ＳＴ１５）
信号切換装置２０４ａは、「Ｃｏｍｂｉｎｅ」命令が伝達されると、収録処理の対象となっているLine２０４ａとRec portに割り当てられているポートPort１を物理的に接続する切換処理を実行する。
そして、信号切換装置２０４ａによるLine２０７ａとRec portとの接続処理の完了がＳＭＳ１０４に報告されると、収録動作を実際に開始することを指示する「Ｒｅｃ. Ｓｔａｒｔ」命令が、ＳＭＳ１０４からビデオサーバ制御装置２０３へ伝達される。
【００５８】
（ＳＴ１６）
ビデオサーバ制御装置２０３への「Ｒｅｃ. Ｓｔａｒｔ」命令の伝達完了がＳＭＳ１０４に報告されると、実際にLine２０４ａからRec portに割り当てられたポートPort１を介して放送素材が入力され、入出力処理部２０３Ａを介して、ビデオサーバ記憶媒体２０２の所定の記憶エリアに収録する「Ｒｅｃ」動作が開始される。このとき、ＳＭＳ１０４は、収録動作の開始をサーバマネージャ１０３に通知する。また、収録制御パネル２０６に設けられたＲｅｃランプ信号を制御して、図示を省略したＲｅｃランプを点灯状態にする。
【００５９】
（ＳＴ１７）
次いで、サーバマネージャ１０３は、次に実行される収録に備えて、ＳＭＳ１０４に対して、上記と同等に「Ｒｅｃ. Ｏｐｅｎ」命令、及び、「Ｒｅｃ. Ｓｔａｎｄｂｙ」命令を順次伝達し、手順ＳＴ１６における放送素材の収録動作に平行して、Idle Portに割り当てられているポートPort２を収録準備状態に設定する処理の実行を指示する。
【００６０】
（ＳＴ１８／ＳＴ１９）
そして、ポートPort１を介して入力される放送素材の収録動作の終了が、下位デバイスからＳＭＳ１０４に報告されると、サーバマネージャ１０３を介して各操作端末１０１のモニタ画面上に収録動作の完了が通知される。その後、オペレータからの入力指示に基づいて、ＳＭＳ１０４は、継続して次の放送素材の収録処理を実行するか否かを判断し、次の放送素材の収録を実行する場合には、手順ＳＴ１３に戻って、「Ｒｅｃ」ボタンが押下されるまで、Idle Portに割り当てられているポートPort２の収録準備状態が維持される。
（ＳＴ２０）
一方、手順ＳＴ１９において、放送素材の収録動作を終了する場合には、Idle Portに割り当てられているポートPort２の収録準備状態の設定を解除して、一連の収録処理を終了する。
【００６１】
このように、ビデオサーバ制御装置が複数の物理ポートを備え、「Ｒｅｃ」ボタンの押下による収録処理要求に先立って、論理的なIdle Portに割り当てられた特定の物理ポートを収録準備状態に設定し、さらに、「Ｒｅｃ」ボタンの押下に伴って、当該物理ポートをIdle PortからRec portに割り当て直すとともに、他のポートをIdle Portに割り当てることにより、「Ｒｅｃ」ボタンの押下後、即座に収録動作を開始、実行することができる。
【００６２】
したがって、ニュース番組の進行や放送素材の供給と同期してビデオサーバ記憶媒体１０２への収録処理を開始することができ、放送素材の先頭部分の記録漏れ等を生じることなく、良好に収録処理を実行することができる。
また、「ＲＥＣ」ボタンの押下に対応して、即座に放送素材の収録を行うことができるので、放送素材の収録に必要とする記憶容量を最小限に止めて、ビデオサーバ記憶媒体の資源を有効に利用することができるとともに、オペレータの操作上のストレスを軽減することができる。
【００６３】
次に、本実施形態に係るニュースシステムに適用される収録制御パネルの構成例について、図面を参照して説明する。
図６は、上述した実施形態に係るニュースシステムに適用される収録制御パネルを示す概略構成図である。  図６に示すように、本実施形態に適用される収録制御パネル１０６は、信号切換装置を介して、放送素材を供給する各入力信号経路（素材供給部）Line１〜Line４に対応し、各放送素材の収録処理に際し、一般的な運用が可能な機能を設定したボタンスイッチ群ＢＮ１１〜ＢＮ１４、ＢＮ２１〜ＢＮ２４、ＢＮ３１〜ＢＮ３４、ＢＮ４１〜ＢＮ４４を備えている。
【００６４】
具体的には、収録制御パネル１０６は、各入力信号線路Line１〜Line４に対応して、上述した実施形態に示した「ＲＥＣ」ボタンＢＮ１３、ＢＮ２３、ＢＮ３３、ＢＮ４３（以下、便宜的に「ＲＥＣ」ボタン群ＢＮ１３〜４３と記す）に加え、収録動作を停止する「ＳＴＯＰ」ボタンＢＮ１１、ＢＮ２１、ＢＮ３１、ＢＮ４１（以下、便宜的に「ＳＴＯＰ」ボタン群ＢＮ１１〜４１と記す）、一旦ビデオサーバ記憶媒体に収録された放送素材のファイル又はデータを削除する「ＣＡＮＣＥＬ」ボタンＢＮ１２、ＢＮ２２、ＢＮ３２、ＢＮ４２（以下、便宜的に「ＣＡＮＣＥＬ」ボタン群ＢＮ１２〜４２と記す）、再収録処理を実行する「ＲＥ−ＳＴＡＲＴ ＲＥＣ」ボタンＢＮ１４、ＢＮ２４、ＢＮ３４、ＢＮ４４（以下、便宜的に「ＲＥ−ＳＴＡＲＴ ＲＥＣ」ボタン群ＢＮ１４〜４４と記す）を備えている。ここで、「ＲＥＣ」ボタン群ＢＮ１３〜４３は、本発明におけるスイッチ手段、又は、第１のスイッチ手段を構成し、「ＲＥ−ＳＴＡＲＴ ＲＥＣ」ボタン群ＢＮ１４〜４４は、本発明における第２のスイッチ手段を構成する。
【００６５】
以下に、各ボタンの機能について説明する。なお、各ボタンは、上述した実施形態と同様に、各ボタンに設定された機能の実行状態に応じて、点灯、点滅動作を行うランプを備えている。
「ＳＴＯＰ」ボタン群ＢＮ１１〜４１は、「ＲＥＣ」ボタン群ＢＮ１３〜４３の押下により実行されている収録動作を、途中停止、又は、終了する場合に押下される。ここで、「ＲＥＣ」ボタン群ＢＮ１３〜４３の押下から、「ＳＴＯＰ」ボタン群ＢＮ１１〜４１の押下までの間に収録された放送素材は、収録済み素材としてビデオサーバ記憶媒体に格納される。収録動作の終了処理中においては、例えば、ランプを点滅することにより、終了処理動作の実行状態をオペレータに視覚的に報知する。
【００６６】
「ＲＥＣ」ボタン群ＢＮ１３〜４３は、上述した実施形態と同様に、所望の放送素材の収録動作を開始する場合に押下される。また、Idle Portが収録準備状態に設定され、即時収録可能な状態にある場合には、ランプが点滅し、オペレータに当該入力信号線路から供給される放送素材の収録が可能であることを視覚的に報知する。そして、ＲＥＣ」ボタン群ＢＮ１３〜４３の押下により、収録動作が開始されるとランプが点灯し、さらに、収録動作が終了すると、ランプが消灯するように構成されている。
【００６７】
「ＣＡＮＣＥＬ」ボタン群ＢＮ１２〜４２は、「ＲＥＣ」ボタン群ＢＮ１３−４３による収録動作をキャンセルし、ビデオサーバ記憶媒体に収録された放送素材が格納されたファイル又はデータを削除する。すなわち、収録動作中の放送素材のデータを収録の先頭部分から全て削除して、未収録の状態に戻す。ここで、キャンセル処理中は、ランプを点滅するように構成されている。
「ＲＥ−ＳＴＡＲＴ ＲＥＣ」ボタン群ＢＮ１４〜４４は、「ＣＡＮＣＥＬ」ボタン群ＢＮ１２〜４２によるキャンセル処理に続いて、「ＲＥＣ」ボタン群ＢＮ１３〜４３による収録動作を実行した場合と同等の動作機能を有し、収録動作をキャンセルして、放送素材を先頭部分から再度収録（取り直し）する場合に押下される。ここで、再収録処理中は、ランプを点滅し、再収録動作が開始、実行されるとランプを消灯し、通常の収録処理の状態に戻ると「ＲＥＣ」ボタン群ＢＮ１３〜４３のランプを点灯するように構成されている。
【００６８】
このような収録制御パネル１０６において、「ＲＥ−ＳＴＡＲＴ ＲＥＣ」ボタン群ＢＮ１４〜４４に設定された動作機能は、収録動作をキャンセルする機能と、再度収録動作を実行する機能との組み合わせであるので、このような再収録処理に、上述した実施形態と同様に、複数の物理ポートに論理的なIdle Port及びRec portを割り当て、「ＲＥ−ＳＴＡＲＴ ＲＥＣ」ボタン群ＢＮ１４〜４４の押下をトリガとして、物理ポートに対する論理的な割り当てを遷移させる処理手順を適用する。
【００６９】
次に、本実施形態に係る収録制御パネルを適用した場合の、放送素材の収録処理について、図面を参照して説明する。
＜収録処理＞
図７は、本実施形態に係る収録制御パネルにおいて、「ＲＥＣ」ボタンを押下した場合の通常の収録処理を示すフローチャートである。なお、ここでは、必要に応じて、図１を参照して説明する。
（ＳＴ１０１／ＳＴ１０２／ＳＴ１０３）
【００７０】
図７に示すように、まず、収録制御パネル１０６に設けられた「ＲＥＣ」ボタンＢＮ１３〜４３のうち、収録対象となる素材供給部（例えば、入力信号線路Line１）に対応する「ＲＥＣ」ボタンＢＮ１３が押下されると、ＳＭＳ１０４からのステータス情報に基づいてサーバマネージャ１０３により、当該入力信号線路Line１が既に収録処理に使用されている信号線路（ライン）か否か、入力信号線路Line１が収録処理に使用されていない場合には、さらに、信号切換装置２０４ａの使用されていない物理ポートが論理的なIdle Portに割り当てられ、収録準備状態にあるか否かが判別される。
【００７１】
ここで、既に収録処理を実行している入力信号線路である場合には、収録動作を実行する必要はないので、収録処理を終了する。
一方、入力信号線路Line１が収録処理に使用している信号線路ではなく、かつ、Idle Portに割り当てられた物理ポートが収録準備状態にある場合には、以下のＳＴ１０４からＳＴ１０７までの手順が実行され、Idle Portに割り当てられた物理ポートがが収録準備状態にない場合には、以下のＳＴ１０８からＳＴ１１１までの手順が実行される。
【００７２】
（ＳＴ１０４／ＳＴ１０５）
Idle Portに割り当てられた物理ポートが収録準備状態にある場合には、サーバマネージャ１０３は、ＳＭＳ１０４に指示して、物理ポートを論理的なIdle PortからRec portに割り当て直し、さらに、入力信号線路Line１とRec portに割り当てられた物理ポートを接続する切換処理を実行する。
（ＳＴ１０６）
そして、信号切換装置２０４ａにより入力信号線路Line１とRec portとの接続処理が完了すると、ビデオサーバ制御装置２０３により、収録動作が実際に開始されて、入力信号線路Line１を介して供給される放送素材が、ビデオサーバ記憶媒体２０２の所定の記憶エリアに収録されるとともに、収録制御パネル２０６の「ＲＥＣ」ボタンＢＮ１３に内蔵されたＲｅｃランプが点灯される。
【００７３】
（ＳＴ１０７）
このとき、ＳＭＳ１０４が、サーバマネージャ２０３に対して、収録動作の開始を通知すると、サーバマネージャ１０３は、次に実行される収録に備えて、入力信号線路Line１を介して供給される放送素材の収録動作に平行して、Idle Portに割り当てられている他の物理ポートを収録準備状態に設定する処理の実行を指示する。
（ＳＴ１０８／ＳＴ１０９）
一方、Idle Portに割り当てられた物理ポートが収録準備状態にない場合には、サーバマネージャ１０３は、ＳＭＳ１０４に指示して、論理的なRec portに割り当てられている物理ポートを収録準備状態に設定し、さらに、入力信号線路Line１とRec portに割り当てられた物理ポートを接続する切換処理を実行する。
【００７４】
（ＳＴ１１０）
そして、入力信号線路Line１とRec portとの接続処理が完了すると、収録動作が実際に開始されて、入力信号線路Line１を介して供給される放送素材が、ビデオサーバ記憶媒体２０２の所定の記憶エリアに収録されるとともに、収録制御パネル２０６の「ＲＥＣ」ボタンＢＮ１３に内蔵されたＲｅｃランプが点灯される。
（ＳＴ１１１）
このとき、サーバマネージャ１０３は、次に実行される収録に備えて、Idle Portに割り当てられている他の物理ポートを収録準備状態に設定する処理の実行を指示する。
【００７５】
（ＳＴ１１２／ＳＴ１１３）
上述したように、入力信号線路Line１を介して供給される放送素材の収録動作が終了すると、サーバマネージャ１０３により、継続して収録処理を実行する放送素材又は入力信号線路が存在するか否かが判断され、継続して収録処理を実行する放送素材が存在する場合には、当該収録処理を一旦終了し、新たに収録制御パネル２０６の「ＲＥＣ」ボタンＢＮ１３〜４３のいずれかが押下されるまで、Idle Portに割り当てられている物理ポートの収録準備状態を継続する。
（ＳＴ１１４）
一方、継続して収録処理を実行する放送素材が存在しない場合には、物理ポートに設定されているIdle Portの割り当てを解除して、当該収録処理を終了する。
【００７６】
＜収録停止処理＞
図８は、本実施形態に係る収録制御パネルにおいて、「ＳＴＯＰ」ボタンを押下した場合の収録停止処理を示すフローチャートである。なお、「ＲＥＣ」ボタンを押下した場合の機能動作は、図７に示したフローチャートと同等であるので、その説明を簡略化する。また、ここでは、必要に応じて、図１を参照して説明する。
（ＳＴ２０１／ＳＴ２０２）
図８に示すように、収録制御パネル１０６に設けられた「ＲＥＣ」ボタンＢＮ１３〜４３のうち、収録対象となる素材供給部（例えば、入力信号線路Line１）に対応する「ＲＥＣ」ボタンＢＮ１３が押下されると、上述した収録処理に基づいて、入力信号線路Line１とRec portに割り当てられた物理ポートが接続され、入力信号線路Line１を介して供給される放送素材を、ビデオサーバ記憶媒体２０２の所定の記憶エリアに収録する動作が開始される。
【００７７】
（ＳＴ２０３）
そして、この収録動作中に収録制御パネル１０６に設けられた「ＳＴＯＰ」ボタンＢＮ１１が押下されると、サーバマネージャ１０３は、ＳＭＳ１０４からのステータス情報に基づいて、当該収録動作の停止、終了を指示し、ＳＭＳ１０４から下位デバイスに対して、「Ｒｅｃ. Ｃｌｏｓｅ」命令が伝達される。
（ＳＴ２０４）
ビデオサーバ制御装置２０３は、「Ｒｅｃ. Ｃｌｏｓｅ」命令が伝達されると、入力信号線路Line１を介して供給されている放送素材の収録動作を停止、終了する。
【００７８】
（ＳＴ２０５）
放送素材の収録動作が終了すると、ビデオサーバ制御装置２０３は、ＩＤＣ２０１を介してＳＭＳ１０４に収録動作の終了を報告する。この報告により、サーバマネージャ１０３は、継続して収録処理を実行する放送素材又は入力信号線路が存在するか否かを判断し、継続して収録処理を実行する放送素材が存在する場合には、当該収録処理を一旦終了し、新たに収録制御パネル２０６の「ＲＥＣ」ボタンＢＮ１３〜４３のいずれかが押下されるまで待機する。
（ＳＴ２０６）
一方、継続して収録処理を実行する放送素材が存在しない場合には、他の物理ポートに設定されているIdle Portの割り当てを解除して、当該収録処理を終了する。
【００７９】
＜収録キャンセル処理＞
図９は、本実施形態に係る収録制御パネルにおいて、「ＣＡＮＣＥＬ」ボタンを押下した場合の収録キャンセル処理を示すフローチャートである。なお、「ＲＥＣ」ボタンを押下した場合の機能動作は、図７に示したフローチャートと同等であるので、その説明を簡略化する。また、ここでは、必要に応じて、図１を参照して説明する。
【００８０】
（ＳＴ３０１／ＳＴ３０２）
図９に示すように、収録制御パネル１０６に設けられた「ＲＥＣ」ボタンＢＮ１３〜４３のうち、収録対象となる素材供給部（例えば、入力信号線路Line１）に対応する「ＲＥＣ」ボタンＢＮ１３が押下されると、上述した収録処理に基づいて、入力信号線路Line１とRec portに割り当てられた物理ポートが接続され、入力信号線路Line１を介して供給される放送素材を、ビデオサーバ記憶媒体２０２の所定の記憶エリアに収録する動作が開始される。
【００８１】
（ＳＴ３０３）
そして、この収録動作中に収録制御パネル１０６に設けられた「ＣＡＮＣＥＬ」ボタンＢＮ１２が押下されると、サーバマネージャ１０３は、ＳＭＳ１０４からのステータス情報に基づいて、当該収録動作のキャンセルを指示し、ＳＭＳ１０４から下位デバイスに対して、「Ｒｅｃ. Ｃｌｏｓｅ」命令、及び、「Ｄｅｌｅｔｅ」命令が順次伝達される。
【００８２】
（ＳＴ３０４／ＳＴ３０５）
ビデオサーバ制御装置２０３は、「Ｒｅｃ. Ｃｌｏｓｅ」命令が伝達されると、入力信号線路Line１を介して供給されている放送素材の収録を中断、終了する。ビデオサーバ制御装置２０３は、収録動作が終了すると、ＩＤＣ２０１を介してＳＭＳ１０４に収録動作の終了を報告する。この報告により、サーバマネージャ１０３は、ビデオサーバ制御装置２０３に対して、「Ｄｅｌｅｔｅ」命令が伝達される。ビデオサーバ制御装置２０３は、「Ｄｅｌｅｔｅ」命令が伝達されると、当該収録処理によりビデオサーバ記憶媒体２０２の所定の記憶エリアに収録された放送素材のファイル又はデータを削除する。
【００８３】
（ＳＴ３０６）
放送素材のファイル又はデータが削除されると、ビデオサーバ制御装置２０３は、ＩＤＣ２０１を介してＳＭＳ１０４に収録動作のキャンセルを報告する。この報告により、サーバマネージャ１０３は、継続して収録処理を実行する放送素材又は入力信号線路が存在するか否かを判断し、継続して収録処理を実行する放送素材が存在する場合には、当該収録処理を一旦終了し、新たに収録制御パネル２０６の「ＲＥＣ」ボタンＢＮ１３〜４３のいずれかが押下されるまで待機する。
（ＳＴ３０７）
一方、継続して収録処理を実行する放送素材が存在しない場合には、他の物理ポートに設定されているIdle Portの割り当てを解除して、当該収録処理を終了する。
【００８４】
＜再収録処理＞
まず、再収録処理に適用されるポートの割り当て処理について、図面を参照して説明する。
図１０は、本実施形態に係る再収録処理におけるポートの動的割り当て処理を示すタイミングチャートである。ここでは、説明を簡略化するために、ビデオサーバ制御装置２０３及び信号切換装置２０４ａに備えられた物理的な２つのポートを割り当て処理し、素材供給部として、入力信号線路Line１を介して供給される放送素材を収録する場合について説明する。
【００８５】
まず、入力信号線路Line１を介して供給される放送素材を、論理的なRec Portに割り当てられた物理ポートPort１を使用して収録処理を実行し、かつ、論理的なIdle Portに割り当てられた物理ポートPort２を収録準備状態に維持した状態において、収録動作の途中で、オペレータが、収録制御パネル２０６に設けられた「ＲＥ−ＳＴＡＲＴ ＲＥＣ」ボタンＢＮ１４を押下すると、ＳＭＳ１０４は、当該通知を受けて、サーバマネージャ１０３に対して、ポートPort１が収録動作状態にあり、ポートPort２が収録準備状態にあることを示すステータス情報を通知する。
【００８６】
次いで、サーバマネージャ１０３は、ＳＭＳ１０４からのステータス情報に基づいて、ＳＭＳ１０４に対して、ポートPort１を論理的なRec portからIdle Portに割り当て直し、収録動作を終了（又は、中断）する指示を伝達する。これにより、ＳＭＳ１０４は、収録動作を終了する「Ｒｅｃ. Ｃｌｏｓｅ」命令を出力し、ＩＤＣ２０１を介して、下位デバイスである信号切換装置２０４ａ、ビデオサーバ記憶媒体２０２及びビデオサーバ制御装置２０３に当該命令を伝達する。
同時に、ＳＭＳ１０４に対して、ポートPort２を論理的なIdle PortからRec portに割り当て直し、さらに、入力信号線路Line１を介して供給される放送素材が、ポートPort２を介してビデオサーバ記憶媒体２０２に再収録されるように、入力信号線路Line１とRec portに設定されたポートPort２を物理的に接続する指示を伝達する。
【００８７】
以下、ポートPort１、Port２毎に実行される処理動作について、個別に説明する。
（ポートPort１）
ビデオサーバ制御装置２０３は、「Ｒｅｃ. Ｃｌｏｓｅ」命令が伝達されると、入力信号線路Line１を介して供給されている放送素材の収録を中断し、収録処理を終了する。ビデオサーバ制御装置２０３は、収録動作が終了すると、ＩＤＣ２０１を介してＳＭＳ１０４に収録動作の終了を報告する。この報告により、サーバマネージャ１０３は、ＳＭＳ１０４に対して、収録された放送素材のファイル又はデータを削除する指示を伝達する。ＳＭＳ１０４は、収録された放送素材を削除する「Ｄｅｌｅｔｅ」命令を出力し、ＩＤＣ２０１を介して、ビデオサーバ記憶媒体２０２及びビデオサーバ制御装置２０３に当該命令が伝達される。
【００８８】
ビデオサーバ制御装置２０３は、「Ｄｅｌｅｔｅ」命令が伝達されると、当該収録処理によりビデオサーバ記憶媒体２０２の所定の記憶エリアに収録された放送素材のファイル又はデータを削除する。
放送素材のファイル又はデータが削除されると、ビデオサーバ制御装置２０３は、ＩＤＣ２０１を介してＳＭＳ１０４に放送素材の削除完了を報告する。
サーバマネージャ１０３は、この報告を受けると、Idle Portに割り当てられたポートPort１を収録準備状態に設定するために、ＳＭＳ１０４に対して、収録動作の開始を通知する「Ｒｅｃ. Ｏｐｅｎ」命令を出力し、ＩＤＣ２０１を介して、下位デバイスである信号切換装置２０４ａ、ビデオサーバ記憶媒体２０２及びビデオサーバ制御装置２０３に当該命令が伝達される。
【００８９】
そして、下位デバイスへの「Ｒｅｃ. Ｏｐｅｎ」命令の伝達完了がＳＭＳ１０４に報告されると、次いで、放送素材を収録するための準備を指示する「Ｒｅｃ. Ｓｔａｎｄｂｙ」命令が、ＳＭＳ１０４から下位デバイスへ伝達される。「Ｒｅｃ. Ｓｔａｎｄｂｙ」命令が伝達されると、ビデオサーバ記憶媒体２０２における空きスペースの検索処理や放送素材の記憶エリアの決定処理等、収録準備動作が実行される。このとき、ビデオサーバ制御装置２０３は、信号切換装置２０４ａを介して入力される放送素材が、Idle Portに割り当てられているポートPort１を介してビデオサーバ記憶媒体２０２に収録されるように、入出力処理部の設定を制御して、ポートPort１を収録準備状態に設定する。
「Ｒｅｃ. Ｓｔａｎｄｂｙ」命令による上記収録準備動作が終了すると、ＳＭＳ１０４は、サーバマネージャ１０３に対して、収録準備完了を報告する。
これにより、Idle Portに割り当てられているポートPort１は、次の「Ｒｅｃ」ボタン、あるいは、「ＲＥ−ＳＴＡＲＴ ＲＥＣ」ボタンが押下されるまで、収録準備状態が維持される。
【００９０】
（ポートPort２）
一方、サーバマネージャ１０３から入力信号線路Line１とRec portに設定されたポートPort２を物理的に接続する指示が伝達されると、ＳＭＳ１０４は、ＩＤＣ２０１を介して、下位デバイスに対して、素材供給部と物理ポートとの接続を指示する「Ｃｏｍｂｉｎｅ」命令を出力する。
信号切換装置２０４ａは、「Ｃｏｍｂｉｎｅ」命令が伝達されると、収録処理の対象となっている入力信号線路Line１とRec portに設定されているポートPort２を物理的に接続する切換処理を実行する。
【００９１】
そして、信号切換装置２０４ａによる入力信号線路Line１とRec portとの接続処理の完了がＳＭＳ１０４に報告されると、再収録動作を実際に開始することを指示する「Ｒｅｃ. Ｓｔａｒｔ」命令が、ＳＭＳ１０４からビデオサーバ制御装置２０３へ伝達される。
ビデオサーバ制御装置２０３への「Ｒｅｃ. Ｓｔａｒｔ」命令の伝達完了がＳＭＳ１０４に報告されると、実際に入力信号線路Line１からRec portに設定されているポートPort２を介して放送素材が入力され、ビデオサーバ記憶媒体２０２の所定の記憶エリアに再収録する動作（「Ｒｅｃ」動作と同等）が開始される。このとき、ＳＭＳ１０４は、再収録動作の開始をサーバマネージャ１０３に通知する。
【００９２】
次いで、上述したポートの動的割り当て処理を適用した再収録処理について、図面を参照して説明する。
図１１は、本実施形態に係る収録制御パネルにおいて、「ＲＥ−ＳＴＡＲＴ ＲＥＣ」ボタンを押下した場合の再収録処理を示すフローチャートである。なお、「ＲＥＣ」ボタンを押下した場合の機能動作は、図７に示したフローチャートと同等であるので、その説明を簡略化する。また、ここでは、必要に応じて、図１を参照して説明する。
【００９３】
まず、図７に示したように、収録制御パネル１０６に設けられた「ＲＥＣ」ボタンＢＮ１３〜４３のうち、収録対象となる素材供給部（例えば、入力信号線路Line１）に対応する「ＲＥＣ」ボタンＢＮ１３が押下されると、上述した収録処理に基づいて、入力信号線路Line１とRec portに割り当てられた物理ポートが接続され、入力信号線路Line１を介して供給される放送素材を、ビデオサーバ記憶媒体２０２の所定の記憶エリアに収録する動作が開始される。
このとき、サーバマネージャ１０３は、次に実行される収録に備えて、入力信号線路Line１を介して供給される放送素材の収録動作に平行して、Idle Portに割り当てられている他の物理ポートを収録準備状態に設定する処理の実行を指示する。
【００９４】
（ＳＴ４０１）
そして、図１１に示すように、この収録動作中に収録制御パネル１０６に設けられた「ＲＥ−ＳＴＡＲＴ ＲＥＣ」ボタンＢＮ１４が押下されると、サーバマネージャ１０３は、ＳＭＳ１０４からのステータス情報に基づいて、当該収録動作の再収録を指示し、ＳＭＳ１０４から下位デバイスに対して、放送素材の収録を終了する「Ｒｅｃ. Ｃｌｏｓｅ」命令が伝達される。
【００９５】
（ＳＴ４０２）
ビデオサーバ制御装置２０３は、「Ｒｅｃ. Ｃｌｏｓｅ」命令が伝達されると、入力信号線路Line１を介して供給されている放送素材の収録を中断し、収録動作を終了する。
収録動作が終了すると、サーバマネージャ１０３は、「ＲＥ−ＳＴＡＲＴ ＲＥＣ」ボタンＢＮ１４が押下された入力信号線路Line１が、既に収録処理に使用されていた信号線路か否かを判別する。
ここで、既に収録処理に使用されていた入力信号線路ではない場合には、同一の素材供給部からの放送素材を再度収録する処理（再収録処理）に該当しないので、再収録処理を終了する。
【００９６】
（ＳＴ４０３）
一方、入力信号線路Line１が収録処理に使用していた信号線路である場合には、ＳＭＳ１０４から「Ｄｅｌｅｔｅ」命令が伝達され、ビデオサーバ制御装置２０３により、当該収録処理によりビデオサーバ記憶媒体２０２の所定の記憶エリアに収録された放送素材のファイル又はデータが削除される。
（ＳＴ４０４）
放送素材のファイル又はデータが削除されると、サーバマネージャ１０３は、放送素材の再収録動作に使用される物理ポートが論理的なIdle Portに割り当てられ、収録準備状態にあるか否かを判別する。
ここで、Idle Portに割り当てられた物理ポートが収録準備状態にある場合には、以下のＳＴ４０５からＳＴ４０８までの手順が実行され、Idle Portに割り当てられた物理ポートがが収録準備状態にない場合には、以下のＳＴ４０９からＳＴ４１２までの手順が実行される。
【００９７】
（ＳＴ４０５／ＳＴ４０６）
Idle Portに割り当てられた物理ポートが収録準備状態にある場合には、サーバマネージャ１０３は、ＳＭＳ１０４に指示して、物理ポートを論理的なIdle PortからRec portに割り当て直し、さらに、入力信号線路Line１とRec portに割り当てられた物理ポートを接続する切換処理を実行する。
（ＳＴ４０７）
そして、信号切換装置２０４ａにより入力信号線路Line１とRec portとの接続処理が完了すると、ビデオサーバ制御装置２０３により、再収録動作が実際に開始されて、入力信号線路Line１を介して供給される放送素材が、ビデオサーバ記憶媒体２０２の所定の記憶エリアに再び収録されるとともに、収録制御パネル２０６の「ＲＥ−ＳＴＡＲＴ ＲＥＣ」ボタンＢＮ１４に内蔵されたランプが点灯される。
【００９８】
（ＳＴ４０８）
このとき、ＳＭＳ１０４が、サーバマネージャ２０３に対して、再収録動作の開始を通知すると、サーバマネージャ１０３は、次に実行される収録（又は、再収録）に備えて、入力信号線路Line１を介して供給される放送素材の再収録動作に平行して、Idle Portに割り当てられている他の物理ポートを収録準備状態に設定する処理が実行される。
（ＳＴ４０９／ＳＴ４１０）
一方、Idle Portに割り当てられた物理ポートが収録準備状態にない場合には、サーバマネージャ１０３は、ＳＭＳ１０４に指示して、論理的なRec portに割り当てられている物理ポートを収録準備状態に設定し、さらに、入力信号線路Line１とRec portに割り当てられた物理ポートを接続する切換処理を実行する。
【００９９】
（ＳＴ４１１）
そして、入力信号線路Line１とRec portとの接続処理が完了すると、再収録動作が実際に開始されて、入力信号線路Line１を介して供給される放送素材が、ビデオサーバ記憶媒体２０２の所定の記憶エリアに再び収録されるとともに、収録制御パネル２０６の「ＲＥ−ＳＴＡＲＴ ＲＥＣ」ボタンＢＮ１４に内蔵されたランプが点灯される。
（ＳＴ４１２）
このとき、サーバマネージャ１０３は、次に実行される収録（又は、再収録）に備えて、Idle Portに割り当てられている他の物理ポートを収録準備状態に設定する処理が実行される。
【０１００】
（ＳＴ４１３／ＳＴ４１４）
上述したように、入力信号線路Line１を介して供給される放送素材の再収録動作が終了すると、サーバマネージャ１０３により、継続して再収録処理を実行する放送素材又は入力信号線路が存在するか否かが判断され、継続して再収録処理を実行する放送素材が存在する場合には、当該再収録処理を一旦終了し、新たに収録制御パネル２０６の「ＲＥ−ＳＴＡＲＴ ＲＥＣ」ボタンＢＮ１３〜４３のいずれかが押下されるまで、Idle Portに割り当てられている物理ポートの収録準備状態を継続する。
（ＳＴ４１５）
一方、継続して再収録処理を実行する放送素材が存在しない場合には、物理ポートに設定されているIdle Portの割り当てを解除して、当該再収録処理を終了する。
【０１０１】
このように、放送素材の再収録処理においても、「ＲＥ−ＳＴＡＲＴ ＲＥＣ」ボタンの押下による再収録処理要求に先立って、論理的なIdle Portに割り当てられた物理ポートを収録準備状態に設定し、さらに、「ＲＥ−ＳＴＡＲＴ ＲＥＣ」ボタンの押下に伴って、当該物理ポートをIdle PortからRec portに割り当て直すとともに、先の収録処理に使用していたポートをIdle Portに割り当てることにより、「ＲＥ−ＳＴＡＲＴ ＲＥＣ」ボタンの押下後、素材供給部に接続される物理ポートを切換接続して、即座に再収録動作を開始、実行することができる。
したがって、「ＲＥ−ＳＴＡＲＴ ＲＥＣ」ボタンの押下に対応して、即座に放送素材の再収録を開始することができるので、放送素材の収録に必要とする記憶容量を最小限に止めて、ビデオサーバ記憶媒体の資源を有効に利用することができるとともに、オペレータの操作上のストレスを軽減することができる。
【０１０２】
ところで、上述した実施形態においては、物理的な２つのポートに対する論理的なIdle Port及びRec portの割り当てについてのみ示したが、収録動作を実行するRec port１本に対して、収録準備状態に設定するIdle Portを、１本に設定した場合には、素材供給部から供給される放送素材の入力数の２倍の数のポートが常時必要となる。特に、Rec port数が増加するほど、多数の物理ポートを占有することになるため、他の入出力ポートの使用に制約が生じ、システム上の自由度が制限されて好ましくない。
そこで、Rec portが２本以上設定されている場合には、Idle Portを共有するように論理的に設定して、実質的なポートの占有数を削減することにより、データ記録再生装置のハード的な資源を効率的に利用することができる。
特に、Idle Port数を、Idle Port数≦Rec port数の関係になるように設定することにより、フレキシブルなシステムを構築することができる。
【０１０３】
なお、本実施形態においては、信号切換装置によりRec portに接続される素材供給部として、Line１〜Line４のみを示したが、これに限定されるものではなく、ＶＴＲや編集機（Ｅｄｉｔｏｒ）等の他の素材供給部を備えるものであってもよい。また、収録制御パネルは、押しボタン式のスイッチを備えたものを示したが、モニタ上に表示されたＧＵＩ画面に対して、収録処理の各動作を指示するものであってもよいし、収録制御パネルをキーボードインターフェースに変換して、操作端末に直接入力する形態を有するものであってもよい。
【０１０４】
以上説明したデータ記憶方法の処理手順、及び、ポートの割り当て処理の手順は、これを実行するプログラムを記憶媒体に格納し、既存あるいは新規に導入される放送局用素材送出システムを構成する各サーバマシン、制御装置等に組み込むことにより、本発明に係るデータ記録再生装置、及び、データ記録方法を容易に実現することができる。
【０１０５】
ここで、記憶媒体とは、一般的なフロッピィディスク、ＣＤ−ＲＯＭ、メモリカード、ＲＯＭチップ等の可搬型のものに限定されるものではなく、固定記憶装置（ハードディスク）に予め上記プログラムをインストールして提供するものであってもよい。さらに、ネットワークや通信回線を介してプログラムを配布する場合にあっては、配布元の記憶装置も、上記記憶媒体に含まれる。
したがって、上述した記憶媒体に記憶されたプログラムは、データ記録再生装置（ニュースシステム）に備えられた各サーバマシン、制御装置等に内蔵又は付設されたハードウェアシステムに実行可能な形式でロードされ、当該プログラムを実行することにより、上記データ記録処理がソフトウェア制御により実現される。
【０１０６】
【発明の効果】
請求項１記載の発明によれば、ランダムアクセスが可能な記憶媒体を用いた素材蓄積手段を備えたデータ記録再生装置において、記録動作の開始指示に基づいて、素材蓄積手段に記録される素材の供給源を、素材蓄積手段に接続される所定のポートに接続する信号切換手段と、記録動作の開始指示に先立って、所定のポートを予め記録準備状態に設定し、記録動作の開始指示に基づいて、所定のポートを記録実行状態に設定し直すとともに、所定のポート以外の他のポートを記録準備状態に設定する記録動作指示手段と、記録実行状態に設定された所定のポートを介して、素材を素材蓄積手段に記録する蓄積制御手段と、を有しているので、記録動作の開始指示から、記録動作が実際に実行されるまでのタイムラグを短縮して、素材の記録動作を即座に開始することができ、素材の先頭部分の記録漏れや、操作上のストレスを抑制して、良好に素材の記録を実行することができる。
また、上記タイムラグを短縮することができるので、最小限の記憶容量で素材を記録することができ、記憶媒体の資源を有効に利用することができる。
【０１０７】
請求項２又は３記載の発明によれば、信号切換手段は、供給源として、通信回線を介して、又は、ＶＴＲ等の素材供給手段から供給される素材を、Rec portに接続して、素材蓄積手段に伝送、記録する構成を有しているので、様々な形態で提供されるデータを素材蓄積手段に良好に記録することができ、ニュースシステムをはじめ、種々の放送局用素材送出システムにおけるデータ記録処理に適用することができる。
請求項４又は８記載の発明によれば、指示入力手段は、素材の記録動作の開始を指示するスイッチ手段と、該スイッチ手段の操作に基づく、記録動作の実行状態を報知する報知手段と、を備え、記録動作の実行状態を報知する構成を有しているので、素材の記録動作の実行状態を、ランプの点灯や点滅駆動等により、オペレータに報知することができ、記録動作の進行状況等を容易に認識することができる。
【０１０８】
請求項５又は１１記載の発明によれば、指示入力手段は、素材の記録動作の開始を指示する第１のスイッチ手段と、前記素材の記録動作を中断し、前記素材の記録動作の開始を再度指示する第２のスイッチ手段と、第１及び第２のスイッチ手段の操作に基づく、記録動作の実行状態を報知する報知手段と、を備え、記録動作及び再記録動作の実行状態を個別に報知する構成を有しているので、素材の記録動作の実行状態をランプ等により、オペレータに報知することができるとともに、記録動作時と同様に、再記録動作の開始指示に先立って、所定のポートを予め記録準備状態に設定し、再記録動作の開始指示に基づいて、所定のポートを再記録実行状態に設定し直し、素材を素材蓄積手段に再記録する動作を、迅速に実行することができる。
請求項６、９又は１２記載の発明によれば、記録動作の対象となる素材は、映像データ及び音声データを含む放送素材であるので、本データ記録再生装置又はデータ記録方法をニュースシステム等の放送局用素材送出システムに良好に適用することができる。
【０１０９】
請求項７記載の発明によれば、ランダムアクセスが可能な記憶媒体を用いた素材蓄積手段を備えたデータ記録再生装置のデータ記録方法において、素材を記録する動作に先立って、素材蓄積手段に接続される所定のポートを予め記録準備状態に設定する手順と、記録動作の開始指示に基づいて、所定のポートを記録実行状態に切り換え設定し、供給源を所定のポートに接続する手順と、所定のポートを介して、素材を素材蓄積手段に記録するとともに、該記録動作中に、他のポートを記録準備状態に設定する手順と、を有しているので、素材蓄積手段に接続される複数のポートを並列的（パラレル）に使用して、所定のポートの記録動作中に、他のポートを記録待機動作に設定することができ、記録動作の開始指示に基づいて、供給源に接続されるポートを切換接続して、即座に記録動作を開始することができる。
したがって、素材の先頭部分の記録漏れや、操作上のストレスを抑制して、良好に素材の記録を実行することができるとともに、最小限の記憶容量で素材を記録することができ、記憶媒体の資源を有効に利用することができる。
【０１１０】
請求項１０記載の発明によれば、ランダムアクセスが可能な記憶媒体を用いた素材蓄積手段を備えたデータ記録再生装置のデータ記録方法において、所定のポートを介して、素材を素材蓄積手段に記録する動作中に、他のポートを記録準備状態に設定する手順と、素材を再記録する動作の開始指示に基づいて、記録動作を中断して、素材蓄積手段に記録された素材を削除する手順と、他のポートを記録実行状態に切り換え設定し、供給源を他のポートに接続する手順と、他のポートを介して、素材を素材蓄積手段に再記録するとともに、該再記録動作中に、所定のポートを記録準備状態に設定する手順と、を有しているので、素材蓄積手段に接続される複数のポートを並列的（パラレル）に使用して、所定のポートの記録動作中に、他のポートを記録待機動作に設定することができ、再記録動作の開始指示に基づいて、供給源に接続されるポートを切換接続して、即座に再記録動作を開始することができる。
したがって、テープ媒体を用いて放送素材の収録を行う場合に比較して、テープの巻き戻しや再装填等を必要とせず、直ちに再収録処理を実行することができ、再記録動作における操作上のストレスを抑制して、良好に素材の再記録を実行することができる。
【０１１１】
請求項１３記載の発明によれば、ランダムアクセスが可能な記憶媒体を用いた素材蓄積手段を備えたデータ記録再生装置のデータ記録方法であって、素材を記録する動作に先立って、素材蓄積手段に接続される所定のポートを予め記録準備状態に設定する手順と、記録動作の開始指示に基づいて、所定のポートを記録実行状態に切り換え設定し、供給源を所定のポートに接続する手順と、所定のポートを介して、素材を素材蓄積手段に記録するとともに、該記録動作中に、他のポートを記録準備状態に設定する手順と、を含む一連のデータ記録処理を実行するプログラムを記憶媒体に格納しているので、既存あるいは新規に導入されるデータ記録再生装置に実行可能な形式で組み込むことができ、記録動作の開始指示に基づいて、即座に記録動作を開始することができる一連のデータ記録処理を実行するデータ記録再生装置を安価かつ簡易に実現することができる。
【０１１２】
請求項１４記載の発明によれば、ランダムアクセスが可能な記憶媒体を用いた素材蓄積手段を備えたデータ記録再生装置のデータ記録方法であって、所定のポートを介して、素材を素材蓄積手段に記録する動作中に、他のポートを記録準備状態に設定する手順と、素材を再記録する動作の開始指示に基づいて、記録動作を中断して、素材蓄積手段に記録された素材を削除する手順と、他のポートを記録実行状態に切り換え設定し、供給源を他のポートに接続する手順と、他のポートを介して、素材を素材蓄積手段に再記録するとともに、該再記録動作中に、所定のポートを記録準備状態に設定する手順と、を含む一連のデータ記録処理を実行するプログラムを記憶媒体に格納しているので、既存あるいは新規の導入されるデータ記録再生装置に実行可能な形式で組み込むことができ、記録途中あるいは記録済の素材を再記録する場合における、一連のデータ記録処理を実行するデータ記録再生装置を安価かつ簡易に実現することができる。
【図面の簡単な説明】
【図１】本発明に係るデータ記録再生装置をニュースシステムに適用した場合の一実施形態を示す概略構成図である。
【図２】本実施形態に係るニュースシステムに適用されるビデオサーバ記憶媒体及びビデオサーバ制御装置の要部構成を示す概略図である。
【図３】本実施形態に係るポートの動的割り当て処理を説明する要部概念図である。
【図４】本実施形態に係るポートの動的割り当て処理の手順を示すフローチャートである。
【図５】本実施形態に係るポートの動的割り当て処理を示すタイミングチャートである。
【図６】本実施形態に係るニュースシステムに適用される収録制御パネルを示す概略構成図である。
【図７】本実施形態に係る収録制御パネルにおいて、「ＲＥＣ」ボタンを押下した場合の通常の収録処理を示すフローチャートである。
【図８】本実施形態に係る収録制御パネルにおいて、「ＳＴＯＰ」ボタンを押下した場合の収録停止処理を示すフローチャートである。
【図９】本実施形態に係る収録制御パネルにおいて、「ＣＡＮＣＥＬ」ボタンを押下した場合の収録キャンセル処理を示すフローチャートである。
【図１０】本実施形態に係る再収録処理におけるポートの動的割り当て処理を示すタイミングチャートである。
【図１１】本実施形態に係る収録制御パネルにおいて、「ＲＥ−ＳＴＡＲＴ ＲＥＣ」ボタンを押下した場合の再収録処理を示すフローチャートである。
【図１２】ビデオサーバを適用した放送局用素材送出システムの要部構成を示す概略図である。
【図１３】従来技術における放送素材の収録処理を示すタイミングチャートである。
【図１４】従来技術における放送素材の再収録処理を示すタイミングチャートである。
【符号の説明】
１００……操作・監視端末群、１０１……操作端末、１０２……データベースサーバ、１０３……サーバマネージャ、１０４……ＳＭＳ、１０５……編集端末、２００……サーバ・ハードウェア群、２０１……ＩＤＣ、２０２……ビデオサーバ記憶媒体、２０３……ビデオサーバ制御装置、２０４ａ、２０４ｂ……信号切換装置、２０５……素材編集機、２０６……収録制御パネル、２０７ａ……Line、２０７ｂ……ＶＴＲ、３００……ネットワーク
【図１】
0003932740.tif 000002
【図２】
0003932740.tif 000003
【図３】
0003932740.tif 000004
【図４】
0003932740.tif 000005
【図５】
0003932740.tif 000006
【図６】
0003932740.tif 000007
【図７】
0003932740.tif 000008
【図８】
0003932740.tif 000009
【図９】
0003932740.tif 000010
【図１０】
0003932740.tif 000011
【図１１】
0003932740.tif 000012
【図１２】
0003932740.tif 000013
【図１３】
0003932740.tif 000014
【図１４】
0003932740.tif 000015